(57)【要約】【課題】画面を囲んだカバーの幅が減少した表示装置が提供される。【解決手段】本発明は表示装置に関するものであって、表示パネル２０と、前記表示パネルの後方に位置したバックライトユニットと、前記表示パネルと前記バックライトユニットの間に配置され、前記表示パネルを支持する第１支持部および前記第１支持部から折り曲げて延長された前記表示パネルの側面に対向する複数の第２支持部３２を含むパネル支持部と、前記表示パネルの非表示領域を囲み前記表示パネルの表示領域を露出させる開口部が形成されている第１カバー部１１と、前記第１カバー部から折り曲げ延長されて前記第２支持部と交互に配置され、前記表示パネルの側面に対向して配置される複数の第２カバー部１２を含む上部カバーとを含むことを特徴とする。【選択図】図２
2008107782.tif 000002
【特許請求の範囲】
【請求項１】
表示パネルと、
前記表示パネルの背面に配置されたバックライトユニットと、
前記表示パネルと前記バックライトユニットの間に配置され、前記表示パネルを支持する第１支持部および前記第１支持部から折り曲げて延長された、前記表示パネルの側面と対向する複数の第２支持部を含むパネル支持部と、
前記表示パネルの非表示領域を囲むとともに、前記表示パネルの表示領域を露出させる開口部が形成されている第１カバー部および前記第１カバー部から折り曲げて延長された前記第２支持部と交互に配置された前記表示パネルの側面と対向する複数の第２カバー部を含む上部カバーとを含むことを特徴とする表示装置。
【請求項２】
前記第２支持部と前記第２カバー部は、同一の平面上に配置されることを特徴とする、請求項１に記載の表示装置。
【請求項３】
前記第２支持部の側面と前記第２カバー部の側面は、少なくとも部分的に対向することを特徴とする、請求項１に記載の表示装置。
【請求項４】
前記表示パネルのパネル面を含む平面と異なる平面で、前記第２支持部と前記第２カバー部は互いに対向することを特徴とする、請求項１に記載の表示装置。
【請求項５】
前記第１支持部は四角形形状であり、前記第２支持部は前記第１支持部の４辺に少なくとも一つずつ設けられていることを特徴とする、請求項１ないし４のうちのいずれか１項に記載の表示装置。
【請求項６】
前記第１カバー部は四角形形状であり、前記第２カバー部は前記第１カバー部の４辺に少なくとも一つずつ設けられていることを特徴とする、請求項１ないし４のうちのいずれか１項に記載の表示装置。
【請求項７】
前記パネル支持部は前記第１支持部から折り曲げられた前記バックライトユニットの側面を囲む第３支持部をさらに含むことを特徴とする、請求項１ないし４のうちのいずれか１項に記載の表示装置。
【請求項８】
前記第２カバー部の少なくとも１部が前記第３支持部と対向するとともに、前記第３支持部の外側に位置し、前記第３支持部の、前記表示パネルの垂直方向には、第２カバー部が延長されるように第１の収容空間が設けられていることを特徴とする、請求項１ないし４のうちのいずれか１項に記載の表示装置。
【請求項９】
前記第２カバー部と、前記第２カバー部が覆っている位置とは異なる位置の前記第３支持部は、同一の平面上に配置されることを特徴とする、請求項８に記載の表示装置。
【請求項１０】
前記バックライトユニットの背面に配置された第３カバー部と、前記第３カバー部から折り曲げられて前記バックライトユニットの側面を囲む第４カバー部を含む第２カバーとをさらに含み、
前記第４カバー部は前記バックライトユニットと前記第３支持部の間に延長されていることを特徴とする、請求項１ないし４のうちのいずれか１項に記載の表示装置。
【請求項１１】
前記第４カバー部と対向する前記第３支持部には前記第４カバー部が収容される第２の収容空間が設けられていることを特徴とする、請求項１０に記載の表示装置。
【請求項１２】
前記第１カバー部は、前記第１カバー部の内側に配置された四角帯形状の第１サブ部と、前記第１サブ部を囲み前記第１サブ部よりも低く形成された四角帯形状の第２サブ部とを含むことを特徴とする、請求項１ないし４のうちのいずれか１項に記載の表示装置。
【請求項１３】
前記表示パネルは液晶表示パネルを含むことを特徴とする、請求項１ないし４のうちのいずれか一項に記載の表示装置。
【請求項１４】
表示パネルと、
前記表示パネルの背面に配置されたバックライトユニットと、
前記表示パネルと前記バックライトユニットの間に配置され、前記表示パネルを支持するパネル支持部および前記表示パネルの表示領域を露出させる開口部が形成されているカバーとを含み、
前記表示パネルの側面の第１領域は前記パネル支持部と対向し、前記第１領域と異なる前記表示パネルの側面の第２領域は前記カバーと対向し、前記表示パネルのパネル面を含む平面と異なる平面で前記パネル支持部と前記カバーは互いに対向することを特徴とする表示装置。
【請求項１５】
前記表示パネルと対向する前記パネル支持部と前記カバーは実質的に同一の平面上に配置されることを特徴とする、請求項１４に記載の表示装置。
【請求項１６】
前記カバーは、前記表示パネルの非表示領域を囲み前記開口部が形成されている第１カバー部および前記第１カバー部から折り曲げて延長された前記第２領域と対向する第２カバー部とを含み、
前記第１カバー部は、前記第１カバー部の内側に形成されている四角帯形状の第１サブ部と、前記第１サブ部を囲み前記第１サブ部よりも低く形成された四角帯形状の第２サブ部と、を含むことを特徴とする、請求項１４に記載の表示装置。
【請求項１７】
前記表示パネルは液晶表示パネルを含むことを特徴とする、請求項１４に記載の表示装置。
【発明の詳細な説明】
【技術分野】
【０００１】
本発明は表示装置に係わり、より詳しくは、画面を囲んだカバーの幅が減少した表示装置に関する。
【背景技術】
【０００２】
最近、液晶表示装置、プラズマディスプレイ、有機電界発光装置のような平面型ディスプレイ装置が多く使用されている。
【０００３】
これらのうち、液晶表示装置は液晶表示パネルとバックライトユニットを含む。液晶表示パネルは薄膜トランジスタが形成されている第１基板、第１基板に対向して配置される第２基板、および両基板の間に配置される液晶層を含む。
【０００４】
液晶表示パネルは非発光型素子であり、バックライトユニットからの光の供給を受ける。バックライトユニットから照射された光は液晶の配列状態によって透過量が調整される。液晶表示パネルとバックライトユニットは同一のカバー内に収容されており、カバーには液晶表示パネルの表示領域を露出させる開口部が形成されている。液晶表示パネルとバックライトユニットの間にはパネル支持部が設けられており、液晶表示パネルを支持している。
【０００５】
一方、液晶表示装置の外容器を小型化するに当たり、表示領域を囲むカバーの幅、即ち、ベゼルの幅の減少が要求される。しかし、液晶表示パネルを支持するパネル支持部とカバーが互いに重なるため、ベゼルの幅を減らすことが困難である。
【発明の開示】
【発明が解決しようとする課題】
【０００６】
従って、本発明の目的は、表示領域を囲んだカバーの幅、即ち、ベゼルの幅が減少した液晶表示装置を提供することにある。
【課題を解決するための手段】
【０００７】
前記本発明の目的は、表示パネルと、
前記表示パネルの背面に配置されたバックライトユニットと、
前記表示パネルと前記バックライトユニットの間に配置され、前記表示パネルを支持する第１支持部および前記第１支持部から折り曲げて延長された前記表示パネルの側面と対向する複数の第２支持部を含むパネル支持部と、
前記表示パネルの非表示領域を囲むとともに、前記表示パネルの表示領域を露出させる開口部が形成されている第１カバー部および前記第１カバー部から折り曲げて延長された前記第２支持部と交互に配置される前記表示パネルの側面と対向する複数の第２カバー部を含む上部カバーと，を含むことを特徴とする表示装置によって実現される。
【０００８】
前記第２支持部と前記第２カバー部は、同一の平面上に配置されるのが好ましい。
【０００９】
前記第２支持部の側面と前記第２カバー部の側面は少なくとも部分的に対向するのが好ましい。
【００１０】
前記表示パネルのパネル面を含む平面と異なる位置で、前記第２支持部と前記第２カバー部は互いに対向するのが好ましい。
【００１１】
前記第１支持部は四角形形状であり、前記第２支持部は前記第１支持部の４辺に少なくとも１つずつ設けられているのが好ましい。前記第１カバー部は四角形形状であり、前記第２カバー部は前記第１カバー部の４辺に少なくとも一つずつ設けられているのが好ましい。前記パネル支持部は前記第１支持部から折り曲げられた前記バックライトユニットの側面を囲む第３支持部をさらに含むのが好ましい。
【００１２】
前記第２カバー部は、少なくとも１部が前記第３支持部と対向するとともに、前記第３支持部の外側に位置し、前記第３支持部の、前記表示パネルの垂直方向には前記第２カバー部が延長されるように第１の収容空間が設けられているのが好ましい。前記第２カバー部と、前記第２カバー部が覆っている位置とは異なる位置の前記第３支持部は同一の平面上に配置されるのが好ましい。
【００１３】
前記バックライトユニットの背面に配置された第３カバー部と、前記第３カバー部から折り曲げられて前記バックライトユニットの側面を囲む第４カバー部を含む第２カバーをさらに含み、前記第４カバー部は前記バックライトユニットと前記第３支持部の間に延長されているのが好ましい。
【００１４】
前記第４カバー部と対向する前記第３支持部には、前記第４カバー部が収容される第２の収容空間が設けられているのが好ましい。
【００１５】
前記第１カバー部は、前記第１カバー部の内側に位置する四角帯形状の第１サブ部と、前記第１サブ部を囲み前記第１サブ部より低い四角帯形状の第２サブ部とを含むのが好ましい。
【００１６】
前記表示パネルは液晶表示パネルを含むのが好ましい。
【００１７】
本発明の目的は、表示パネルと、
前記表示パネルの背面に配置されたバックライトユニットと、
前記表示パネルと前記バックライトユニットの間に配置され、前記表示パネルを支持するパネル支持部および前記表示パネルの表示領域を露出させる開口部が形成されているカバーとを含み、
前記表示パネルの側面に形成された第１領域は前記パネル支持部と対向し、前記第１領域と異なる前記表示パネルの側面の第２領域は前記カバーと対向し、前記表示パネルのパネル面を含む平面と異なる平面で前記パネル支持部と前記カバーは互いに対向することを特徴とする表示装置によっても達成される。
【００１８】
前記表示パネルと対向する前記パネル支持部と前記カバーは実質的に同一の平面上に位置するのが好ましい。
【００１９】
前記カバーは、前記表示パネルの非表示領域を囲み前記開口部が形成されている第１カバー部および前記第１カバー部から折り曲げて延長された前記第２領域と対向する第２カバー部とを含み、
前記第１カバー部は、前記第１カバー部の内側に形成されている四角帯形状の第１サブ部と、前記第１サブ部を囲み前記第１サブ部よりも低く形成された四角帯形状の第２サブ部と、を含むのが好ましい。
【００２０】
前記表示パネルは液晶表示パネルを含むのが好ましい。
【発明の効果】
【００２１】
本発明によれば、表示領域を囲んだカバーの幅、即ちベゼルの幅が減少した液晶表示装置が提供される。
【発明を実施するための最良の形態】
【００２２】
以下、添付図面を参照して本発明をさらに詳細に説明する。
以下の実施形態において同一の構成要素を示す参照番号には同一の番号を使用した。同一の構成要素については、第１の実施形態において代表的に説明し、他の実施形態においては省略している。
【００２３】
また、以下の実施形態は表示装置として液晶表示パネルを含む液晶表示装置を対象とするが、本発明はプラズマディスプレイと有機電界発光装置にも適用が可能である。
図１ないし、図５を参照しつつ、本発明の第１の実施形態における液晶表示装置を説明する。
【００２４】
液晶表示装置１は、液晶表示パネル２０と、液晶表示パネル２０の背面に位置するバックライトユニット２とを含む。バックライトユニット２は液晶表示パネル２０の背面に配
置された光学フィルム４０、液晶表示パネル２０の背面に配置した導光板５０、導光板５０に対向する両側面に沿って配置されている一対のランプ６１、ランプ６１を囲んでいるランプカバー６２および導光板５０の背面に位置する反射板６３を含む。
【００２５】
液晶表示パネル２０とバックライトユニット２は、上部カバー１０と下部カバー７０の間に収容されている。液晶表示パネル２０はパネル支持部３０に載置されている。
【００２６】
上部カバー１０は略四角形帯形状に形成された第１カバー部１１、第１カバー部１１から背面方向に折り曲げて延長されている第２カバー部１２を含む。第１カバー部１１に囲まれた開口部１３は、液晶表示パネル２０の表示領域を露出させる。上部カバー１０はアルミニウムやステンレススチールから形成することができる。
【００２７】
第２カバー部１２は複数の部分に分けられており、第１カバー部１１の４側面全てに形成されている。第２カバー部１２は液晶表示パネル２０の側面と対向する。
【００２８】
液晶表示パネル２０は薄膜トランジスタが形成されている第１基板２１と、第１基板２１と対面して配置されている第２基板２２を含む。第２基板２２にはカラーフィルターを含むことができる。図示されていないが、両基板２１、２２の間には液晶層が配置されている。
【００２９】
第１基板２１の外面には第１偏光板２３が付設されており、第２基板２２の外面には第２偏光板２４が付設されている。第１基板２１は第２基板２２に比べて多少大きく形成され、第２基板２２と第１基板２１が対向している面とは異なる１領域には駆動回路（図示せず）が設けられる。
【００３０】
パネル支持部３０は略四角形帯形状に形成された第１支持部３１、第１支持部３１から上部カバー方向に折り曲げて延長されている第２支持部３２、そして第１支持部３１から背面方向に折り曲げられている第３支持部３３を含む。パネル支持部３０はプラスチックから形成することができる。
【００３１】
第１支持部３１は図４および図５に示すように、液晶表示パネル２０と光学フィルム４０の間に配置され、液晶表示パネル２０は第１支持部３１に載置される。
【００３２】
第２支持部３２は複数の部分に分けられており、第１支持部３１の４側面全てに形成されている。第２支持部３２は液晶表示パネル２０の側面と対向する。
【００３３】
組立過程において、液晶表示パネル２０をパネル支持部３０の上に配置した後、上部カバー１０とパネル支持部３０を結合する。第２支持部３２はこの過程により、液晶表示パネル２０がパネル支持部３０から離脱することを抑制する。
【００３４】
第２支持部３２は、第１支持部３１の４側面に形成されており、液晶表示パネル２０の４面を支持することができる。したがって、液晶表示パネル２０がパネル支持部３０から離脱するという問題を効果的に減少させる。
【００３５】
第３支持部３３は、第１支持部３１および第２支持部３２と連結されており、バックライトユニット２の周囲を囲んでいる。図３に示すように、第３支持部３３には外側に設けられた第１の収容空間Ａと内側に第２の収容空間Ｂが設けられている。第１の収容空間Ａには第２カバー部１２が配置され、第２の収容空間Ｂには第４カバー部７２が配置される。
【００３６】
第１支持部３１により囲まれた開口部３４は液晶表示パネル２０の表示領域に対応して配置されており、バックライトユニット２の光を液晶表示パネル２０の方向に通過させる。
【００３７】
液晶表示パネル２０の背面に位置する光学フィルム４０は略長方形形状である。光学フィルム４０は拡散フィルム、プリズムフィルム、反射偏光フィルム、および保護フィルムのうちのいずれか一つを含み、またはその複数を含むことができる。
【００３８】
導光板５０はポリメチルスチレン（ｐｏｌｙ  ｍｅｔｈｙｌｓｔｙｒｅｎｅ、メチルメタアクリレートとスチレンの共重合体）またはポリメチルメタアクリレート（ＰＭＭＡ）のようなアクリル系の樹脂で製造され、ランプ６１からの光を光学フィルム４０へ均一に供給する役割を果たす。
【００３９】
ランプ６１は導光板５０の両縁側に沿って配置されており、冷陰極蛍光ランプ（ＣＣＦＬ）または外部電極蛍光ランプ（ＥＥＦＬ）を含む。
【００４０】
ランプ６１はランプカバー６２に囲まれており、ランプカバー６２はランプ６１からの光を反射させて、導光板５０に光を供給する。ランプカバー６２は２層構造に形成することができ、ランプ６１に向かう内部面にはＰＥＴ（ポリエチレンテレフタレート）層を用い、外部面には熱伝導率に優れたアルミニウム層を用いることができる。
【００４１】
反射板６３は導光板５０の背面に配置され、入射する光を再び反射させて導光板５０に光を供給する役割を果たす。反射板６３はポリエチレンテレフタレート（ＰＥＴ）やポリカーボネイト（ＰＣ）のようなプラスチック素材から形成される。
【００４２】
下部カバー７０は略四角形形状に形成された第３カバー部７１、第３カバー部７１から上部方向に折り曲げて延長されている第４カバー部７２を含む。第４カバー部７２はパネル支持部３０の第３支持部３３と導光板５０との間に配置される。下部カバー７０はアルミニウムやステンレススチールまたは亜鉛鍍金鋼板によって形成することができる。
【００４３】
第１の実施形態におけるバックライトユニット２は横置き型であるが、本発明は縦型のバックライトユニットにも適用可能である。光源としては例示したランプ６１の他にも発光ダイオードを使用することができる。
【００４４】
以上説明した液晶表示装置１は液晶表示パネル２０の表示領域を囲む上部カバー１０、即ち、第１カバー部１１の幅ｄ１が狭く形成されているが、このことについて以下に説明する。
【００４５】
図２のように上部カバー１０の第２カバー部１２とパネル支持部３０の第２支持部３２は互いに交互に配置されている。また、第２カバー部１２と第２支持部３２は実質的に同一の平面内に配置され、互いの側面は部分的に対向する。つまり、液晶表示パネル２０を含む平面内においては、第２カバー部１２と第２支持部３２は互いに対向することはない。
【００４６】
上記のように第２支持部３２と第２カバー部１２とは液晶表示パネル２０の間には配置されない。そのため第２カバー部１２の幅ｄ１を狭く形成しても影響は少ない。つまり、第１カバー部１２の幅ｄ１には第２支持部３２の厚さを考慮する必要はない。
【００４７】
一方、パネル支持部３０の第３支持部３３のうち、上部カバー１０の第２カバー部１２と対向する部分には、第１カバー部１１から所定の距離に後退されて形成された、第１の収容空間（図３のＡ）が形成されている。第２カバー部１２は収容空間Ａに配置され、液晶表示パネル２０のパネル面の垂直方向に延長される。つまり、第２カバー部１２はカバー１１の幅ｄ１を増加させることなく、背面方向に延長される。
【００４８】
第２カバー部１２の外面と、第２カバー部１２によって覆われない第３支持部３３の外面は実質的に同一の平面上に配置される。
【００４９】
一方、第３支持部３３のうち、バックライトユニット２と対向する部分には第２の収容空間（図３のＢ）が形成されている。下部カバー７０の第４カバー部７２は該収容空間Ｂ内に配置され、第４カバー部７２によってカバー１０の幅ｄ１は増加しない。
【００５０】
図示されていないが、第２カバー部１２と第３支持部３３の間には互いを結合させる第１結合部材が形成されており、第４カバー部７２と第３支持部３３の間には互いを結合させる第２結合部材が形成されている。
【００５１】
図６および図７を参照しつつ、本発明の第２の実施形態による液晶表示装置１について説明する。
【００５２】
図７は図２のＶ−Ｖ線に沿う液晶表示装置の断面図である。
【００５３】
上部カバー１０は第１カバー部１１から下側に延長された第５カバー部１４を含む。第５カバー部１４は第２カバー部１２に比べて長さが短く形成されている。他の実施形態においては、第５カバー部１４の長さが長く形成されており、液晶表示パネル２０と部分的に対向させるように配置することもできる。
【００５４】
図２および図８を参照しつつ、本発明の第３の実施形態による液晶表示装置１について説明する。
【００５５】
図８は図２のＶ−Ｖ線に沿う液晶表示装置の断面図である。
【００５６】
上部カバー１０の第１カバー部１１は第１サブ部１１ａと第２サブ部１１ｂを含む。第１サブ部１１ａと第２サブ部１１ｂはともに、四角枠形状に形成されており、第１サブ部１１ａは第２サブ部１１ｂに比べて高く形成されている。
【００５７】
第３の実施形態によれば、第２カバー部１２と連結される第２サブ部１１ｂを低く形成させることにより、液晶表示装置１の厚さｄ２を減少させることができる。
【００５８】
例示的に本発明のいくつかの実施形態が図示されて説明されたが、本発明の属する技術分野における通常の知識を有する当業者であれば、本発明の原則や思想から逸脱することなく本実施形態を変形できることが分かりえる。本発明の範囲は添付された請求項とその均等物によって決められる。
【図面の簡単な説明】
【００５９】
【図１】本発明の第１の実施形態による液晶表示装置を分解した斜視図である。
【図２】本発明の第１の実施形態による液晶表示装置の斜視図である。
【図３】図１のＩＩＩ−ＩＩＩ線に沿う断面図である。
【図４】図２のＩＶ−ＩＶ線に沿う断面図である。
【図５】図２のＶ−Ｖ線に沿う断面図である。
【図６】本発明の第２の実施形態による液晶表示装置の斜視図である。
【図７】図６のＶＩＩ−ＶＩＩに沿う断面図である。
【図８】本発明の第３の実施形態による、図２のＶ−Ｖ線に沿う液晶表示装置の断面図である。
【符号の説明】
【００６０】
１０    上部カバー
２０    液晶表示パネル
３０    パネル支持部
４０    光学フィルム
５０    導光板
６１    ランプ
６２    ランプカバー
６３    反射板
７０    下部カバー
【図１】
2008107782.tif 000003
【図２】
2008107782.tif 000004
【図３】
2008107782.tif 000005
【図４】
2008107782.tif 000006
【図５】
2008107782.tif 000007
【図６】
2008107782.tif 000008
【図７】
2008107782.tif 000009
【図８】
2008107782.tif 000010